【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
ネットワークを介して接続される第１の会員端末と第２の会員端末とサーバーとを有するネットワーク・サービスシステムであって、
前記第１の会員端末は、前記第１の会員端末を使用する会員のトレーニングの状況を示すトレーニングデータをネットワーク上に公開させる公開手段を備え、
前記第２の会員端末は、前記トレーニングデータが示すトレーニングの状況に対するコメントを示すコメントデータを前記サーバーにアップロードするコメントデータ送信手段を備え、
前記サーバーは、前記第２の会員端末からアップロードされたコメントデータを、前記第１の会員端末に送信するコメントデータ送信手段を備えることを特徴とするネットワーク・サービスシステム。
【請求項２】
前記第２の会員端末は、前記コメントデータ送信手段により前記サーバーから送信されたコメントデータを受信しコメントを提供するコメント提供手段を備えることを特徴とする請求項１記載のネットワーク・サービスシステム。
【請求項３】
複数の前記第２の会員端末から前記コメントデータが各々アップロードされ、
前記サーバーは、前記アップロードされた複数のコメントデータのいずれかを選択する選択手段を備え、
前記コメントデータ送信手段は、前記選択手段により選択されたコメントデータを前記第１の会員端末に送信することを特徴とする請求項１記載のネットワーク・サービスシステム。
【請求項４】
前記サーバーは、トレーニングを行っているシーンを判定するシーン判定手段を備えることを特徴とする請求項３記載のネットワーク・サービスシステム。
【請求項５】
前記選択手段は、前記シーン判定手段により判定されたシーンに応じて、前記アップロードされた複数のコメントデータのいずれかを選択することを特徴とする請求項４記載のネットワーク・サービスシステム。
【請求項６】
前記サーバーは、
前記シーン毎に異なるコメントを示す既成のシーン別コメントデータを予め記憶した記憶手段を備え、
前記選択手段は、前記シーン判定手段により判定されたシーンに応じて、前記記憶手段からシーン別コメントデータを更に選択し、
前記コメントデータ送信手段は、前記選択手段により選択された前記既成のシーン別コメントデータを前記第１の会員端末に送信することを特徴とする請求項４記載のネットワーク・サービスシステム。
【請求項７】
前記シーン判定手段は、前記トレーニングデータに基づき、トレーニングを行っているシーンを判定することを特徴とする請求項４記載のネットワーク・サービスシステム。
【請求項８】
前記第１の会員端末は、トレーニングの内容を示すトレーニングメニューを設定する設定手段を備え、
前記シーン判定手段は、前記トレーニングメニューと前記トレーニングデータとに基づき、トレーニングを行っているシーン判定することを特徴とする請求項５記載のネットワーク・サービスシステム。
【請求項９】
前記トレーニングメニューには、トレーニングに用いるコースを示すコースデータが含まれることを特徴とする請求項８記載のネットワーク・サービスシステム。
【請求項１０】
前記シーン判定手段は、前記コメントデータが示すコメントからキーワードを抽出し、抽出したキーワードに基づきトレーニングを行っているシーンを判定することを特徴とする請求項４記載のネットワーク・サービスシステム。
【請求項１１】
前記コメントデータが示すコメントからキーワードを抽出し、抽出したキーワードに基づき前記コメントデータを、トレーニングを行っているシーンに応じて分類する手段を備えることを特徴とする請求項４記載のネットワーク・サービスシステム。
【請求項１２】
前記コメントデータ送信手段は、前記選択手段により選択されたコメントデータとともに、当該コメントデータをアップロードした会員のプロフィール画像を送信することを特徴とする請求項３記載のネットワーク・サービスシステム。
【請求項１３】
請求項１記載のネットワーク・サービスシステムにおける前記第１の会員端末を構成する会員端末。
【請求項１４】
請求項１記載のネットワーク・サービスシステムにおける前記第２の会員端末を構成する会員端末。
【請求項１５】
請求項１記載のネットワーク・サービスシステムを、前記第１の会員端末及び前記第２の会員端末と共に構成するサーバー。
【請求項１６】
ネットワークを介して接続される第１の会員端末と第２の会員端末とサーバーとを有するネットワーク・サービスシステムにおける前記サーバーが有するコンピュータに、
前記第１の会員端末を使用する会員のトレーニングの状況を示すトレーニングデータをネットワーク上に公開する手順、
前記第２の会員端末からアップロードされた前記トレーニングデータが示すトレーニングの状況に対するコメントを示すコメントデータを、前記第１の会員端末に送信する手順
を実行させるためのプログラム。
【請求項１７】
ネットワークを介して接続される第１の会員端末と第２の会員端末とサーバーとを有するネットワーク・サービスシステムにおけるコメント提供方法であって、
前記サーバーが前記第１の会員端末を使用する会員のトレーニングの状況を示すトレーニングデータをネットワーク上に公開する公開ステップと、
前記サーバーが前記第２の会員端末からアップロードされた前記トレーニングデータが示すトレーニングの状況に対するコメントを示すコメントデータを、前記第１の会員端末に送信する送信ステップと
を含むことを特徴とするコメント提供方法。
【手続補正２】
【補正対象書類名】明細書
【補正対象項目名】発明の名称
【補正方法】変更
【補正の内容】
【発明の名称】ネットワーク・サービスシステム、会員端末、サーバー、プログラム並びにネットワーク・サービスシステムおけるコメント提供方法
【手続補正３】
【補正対象書類名】明細書
【補正対象項目名】０００１
【補正方法】変更
【補正の内容】
【０００１】
本発明は、ジョギング、ウォーキング、ランニング等のトレーニングを行うトレーニング・ソーシャル・ネットワーク・サービス（以下、ＳＮＳと略称する）に好適なネットワーク・サービスシステム、会員端末、サーバー、プログラム並びにネットワーク・サービスシステムおけるコメント提供方法に関する。
【手続補正４】
【補正対象書類名】明細書
【補正対象項目名】０００８
【補正方法】変更
【補正の内容】
【０００８】
本発明の一態様は、ネットワークを介して接続される第１の会員端末と第２の会員端末とサーバーとを有するネットワーク・サービスシステムであって、前記第１の会員端末は、前記第１の会員端末を使用する会員のトレーニングの状況を示すトレーニングデータをネットワーク上に公開させる公開手段を備え、前記第２の会員端末は、前記トレーニングデータが示すトレーニングの状況に対するコメントを示すコメントデータを前記サーバーにアップロードするコメントデータ送信手段を備え、前記サーバーは、前記第２の会員端末からアップロードされたコメントデータを、前記第１の会員端末に送信するコメントデータ送信手段を備えることを特徴とするネットワーク・サービスシステムである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】